(57)【要約】      （修正有）【課題】幼児の手でも持ちやすく、どこでも噛みやすいスイカの半球形状をしており、かつ興味を持って遊びながら歯がための訓練ができる歯がためを提供する。【解決手段】歯がため１００は、玩具としても使用できる歯がためであって、中空で略半球形状の本体部１と、本体部の略半球形状の開口部にふたをするように設けられた略円盤状の部材２とを有し、本体部は、略半球形状が上向きに凸となるように配置したときに頭頂部に配置された中心貫通孔２１と、頭頂部と底縁部との間の曲面部を周方向に取り囲むように配置された複数個の第１の形状の貫通孔１２とを備え、略円盤状の部材は、略円盤状の部材の線対象軸を挟んで、又は少なくとも円盤形状の中心部を取り囲むように配置された複数個の第２の形状の貫通孔２２を備え、本体部と略円盤状の部材とは柔軟な材質で形成される。【選択図】図１
0003224878.tif 000002
【実用新案登録請求の範囲】
【請求項１】
玩具としても使用できる歯がためであって、
前記歯がためは、中空で略半球形状の本体部と、本体部の半球形状の開口部にふたをするように設けられた略円盤状の部材とを有し、
前記本体部は、略半球形状が上向きに凸となるように配置したときに頭頂部に配置された中心貫通孔と、頭頂部と底縁部との間の曲面部を周方向に取り囲むように配置された複数個の第１の形状の貫通孔とを備え、
前記略円盤状の部材は、前記略円盤状の部材の線対象軸を挟んで、又は少なくとも円盤形状の中心部を取り囲むように配置された複数個の第２の形状の貫通孔を備え、
前記本体部と前記略円盤状の部材とは柔軟な材質で形成されることを特徴とする歯がため。
【請求項２】
前記本体部と前記略円盤状の部材は、シリコーン、ラバーを含む樹脂材料から選択される柔軟な樹脂材料により形成されることを特徴とする請求項１に記載の歯がため。
【請求項３】
前記歯がためは、底縁部から頭頂部へ向かう本体部の曲面部の外表面に、凹凸が形成されることを特徴とする請求項１又は２に記載の歯がため。
【請求項４】
前記歯がためは、ボール、フルーツ、野菜を所定の平面にて切断した一方の形状を表現するよう彩色が施されて、前記歯かためがフルーツ又は野菜の形状の場合、略円盤状の部材は、フルーツ又は野菜の断面形状を示す形状であることを特徴とする請求項１乃至３のいずれか１項に記載の歯がため。
【請求項５】
前記複数個の第１の形状の貫通孔のうち少なくとも２つは前記底縁部から同一の高さにあることを特徴とする請求項１乃至４のいずれか１項に記載の歯がため。
【請求項６】
前記複数個の第２の形状の貫通孔は、円盤形状の中心部に対し点対称若しくは前記略円盤状の部材の線対象軸に対し線対称に配置されることを特徴とする請求項１乃至５のいずれか１項に記載の歯がため。
【考案の詳細な説明】
【技術分野】
【０００１】
本考案は、歯がために関し、特に半球状で多数の貫通孔を備えることにより乳幼児がつかみやすく、噛みやすく、また手放ししても転がりにくい歯がために関する。
【背景技術】
【０００２】
乳幼児は歯のはえ初めには、歯頚のかゆみやむずむず感を感じやすいことからこの感覚をやわらげ、歯の成長を促す意味で乳幼児に噛む刺激を与えさせる歯がためが使用される。
しかしただ噛むための目的の形状では単純化しやすく乳幼児が飽きてしまいやすい。そこで幼児に飽きさせないため、歯がためには、実用本位なもののほか玩具的要素を持ったものが開発されている。
【０００３】
特許文献１には、弾力性のある視覚的、聴覚的に玩具的な要素をもたせた歯がためであり、耐熱性の硬質樹脂により形成されたドーム部を中心に配置し、その周囲に、耐熱性のスチレン系エラストマーにより花びらの形状に形成された歯がため部が配置され、ドーム部内部に、ドーム部内周縁を摺動する図案化物と複数の小球状物を設けた歯がためが開示されている。
【０００４】
特許文献１の歯がためによれば、乳幼児の口に入る部分は歯がためとして、また中央部にドームを設けることにより、玩具的な要素も有している。しかしながら平面的でつかみやすい構造とは言えず、噛める場所も限定されているという課題がある。
【０００５】
特許文献２には、硬度の異なる材質による歯がためであり、平板状の表面に第１突起部が設けられた第１表面を有する第１歯がため部材と、平板状をなし表面に第２突起部が設けられた第２表面を有する第２歯がため部材とを有しており、第１歯がため部材と第２歯がため部材は平行に配置され、第１歯がため部材と第２歯がため部材は連結部材によって連結され、第１歯がため部材の第１表面と第２歯がため部材の第２表面の硬度は互いに相違する歯がためが開示されている。
【０００６】
特許文献２の歯がためによれば、乳幼児は、成長段階に応じて軟質の表面を噛む段階から硬質の表面を噛む段階へ進むことができ、幼児は、単一の歯がためを用いて成長の段階に応じて、歯がためをスムースに行なうことができる。しかしながら、２種類の歯がためを単一のもので使用するのは、機能的ではあるが形状的に乳幼児には飽きやすく玩具的な要素も少ないという課題がある。
【先行技術文献】
【特許文献】
【０００７】
【特許文献１】特開平６−３３９５１４号公報
【特許文献２】特開２００４−３２１２３９号公報
【考案の概要】
【考案が解決しようとする課題】
【０００８】
本考案は、上記従来の歯がための問題点に鑑みてなされたものであって、本考案の目的は、半球状で多数の貫通孔を備えることにより乳幼児がつかみやすく、噛みやすく、また手放ししても転がりにくく、かつ興味を持って遊びながら歯がための訓練ができる歯がためを提供することである。
【課題を解決するための手段】
【０００９】
上記目的を達成するためになされた本考案による歯がためは、玩具としても使用できる歯がためであって、前記歯がためは、中空で略半球形状の本体部と、本体部の略半球形状の開口部にふたをするように設けられた略円盤状の部材とを有し、前記本体部は、略半球形状が上向きに凸となるように配置したときに頭頂部に配置された中心貫通孔と、頭頂部と底縁部との間の曲面部を周方向に取り囲むように配置された複数個の第１の形状の貫通孔とを備え、前記略円盤状の部材は、前記略円盤状の部材の線対象軸を挟んで、又は少なくとも円盤形状の中心部を取り囲むように配置された複数個の第２の形状の貫通孔を備え、前記本体部と前記略円盤状の部材とは柔軟な材質で形成されることを特徴とする。
【００１０】
前記本体部と前記略円盤状の部材は、シリコーン、ラバーを含む樹脂材料から選択される柔軟な樹脂材料により形成されることが好ましい。
【００１１】
前記歯がためは、底縁部から頭頂部へ向かう本体部の曲面部の外表面に、凹凸が形成されることが好ましい。
【００１２】
前記歯がためは、ボール、フルーツ、野菜を所定の平面にて切断した一方の形状を表現するよう彩色が施されて、前記歯かためがフルーツ又は野菜の形状の場合、略円盤状の部材は、フルーツ又は野菜の断面形状を示す形状であることが好ましい。
【００１３】
前記複数個の第１の形状の貫通孔のうち少なくとも２つは、前記底縁部から同一の高さにあることが好ましい。
【００１４】
前記歯がための複数個の第２の形状の貫通孔は、円盤形状の中心部に対し点対称若しくは前記略円盤状の部材の線対象軸に対し線対称に配置されることが好ましい。
【考案の効果】
【００１５】
本考案の歯がためによれば、貫通孔が多く開いており、本体部の曲面部の外表面に、凹凸があるため、幼児の小さい手でもつかみ易く、また隣り合った貫通孔が多数開いておりかつ間隔も狭いので、幼児でも容易にかじったり、くわえたりしやすい。
【００１６】
さらに本考案の歯がためによれば、曲面部の外表面の凹凸部により、そこを噛めば歯形を刺激し、歯のむずむず感を解消するとともに、幼児の小さい手でもつかみ易くなっている。
【００１７】
また本考案の歯がためによれば、略半球形状をしているため、投げ捨てても遠くまで転がりすぎず、容易に回収が可能である。また貫通孔が多数あるので、貫通孔に紐を通して持ち運びも容易にできる。
【００１８】
さらに本考案の歯がためによれば、略半球形状をしているため上側に凸になるように置くと安定して置ける上、略半球形状の頭頂部に開口があるために頭頂部を下にしても安定しておくことができ、曲面部にも略円盤状の部材にも複数の貫通孔を設けるため、貫通孔を利用して、幼児の使用するおしゃぶり置きや、フォーク置きにも使用可能である。
【００１９】
本考案の歯がためによれば、中空であり複数の貫通孔を介して中を見ることができるため、中空部に予め振ると音が出る鈴などの発音体や見た目のきれいなフィギュアなどを封入することにより、単なる歯がためによらず、玩具として使用ができる。
さらに本考案の歯がためによれば、フルーツや野菜などの食物を具現した形状に形成することができるため、乳幼児に対し歯がための訓練以外にも食に対する感性を育成するのに好適である。
【図面の簡単な説明】
【００２０】
【図１】本考案の一実施形態によるスイカの歯がための全体を示す斜視図である。
【図２】本考案の一実施形態によるスイカの歯がための構造を示す図である。
【図３】本考案の一実施形態によるスイカの歯がための外側の凹凸部を半球形状の頭頂部側から示す図である。
【図４】本考案の他の実施形態によるみかんの歯がための平面を示す図である。
【考案を実施するための形態】
【００２１】
以下本考案の歯がためを実施するための具体例を、図面を参照しながら詳細に説明する。
本考案による歯がためは、中空で略半球形状の本体部と、本体部の半球形状の開口部を、蓋をするように設けられた略円盤状の部材とを有し、本体部と略円盤状の部材とは柔軟な材質で構成され、それぞれ複数の貫通孔を備えるため、貫通孔の間の部分が把持しやすく又噛みやすい形状となり、手の小さい乳幼児にとってもつかみやすく噛みやすい歯がためである。
また本考案による歯がためは、フルーツや野菜を所定の断面で切ったような色彩や形状で形成することができるため、食べ物に対する興味を幼児に誘起させ、玩具としても使用できる歯がためである。
【００２２】
図１は、本考案の一実施形態によるスイカの歯がための全体を示す斜視図である。
図１を参照すると、本考案の歯がため１００は、中空で略半球形状の本体部１と、本体部の半球形状の開口部にふたをするように設けられた略円盤状の部材２とを有する。
【００２３】
図１では、本体部１が下側にあるように示したが、本体部１を上にして半球形状が上向きに凸となるように配置した場合、本体部１は、頭頂部に配置された中心貫通孔１１と、頭頂部と底縁部との間の曲面部を周方向に取り囲むように配置された複数個の第１の形状の貫通孔１２とを備える。
【００２４】
中心貫通孔１１と第１の形状の貫通孔１２とは、図１では円形の場合を示すが、いずれも必ずしも円形である必要はない。ただし頭頂部の中心貫通孔１１は、図１のように下向きにおいた際に歯がため１００を安定して置けるような役割も果たすため、頂点部を中心として回転対称となるような形状が好ましい。
【００２５】
また略円盤状の部材２には、少なくとも円盤形状の中心部を取り囲むように配置された複数個の第２の形状の貫通孔２２を備え、図１の実施形態では更に中心部に中心部貫通孔２１を備える。
中心部貫通孔２１と第２の形状の貫通孔２２とは、図１では円形の場合を示すが、いずれも必ずしも円形である必要はない。また中心部貫通孔２１と第２の形状の貫通孔２２とで大きさが異なっても構わない。
【００２６】
本体部１と略円盤状の部材２は、ともに柔軟な材質で形成され、乳幼児が噛んだり振り回したりしてもケガをすることなく安全に扱うことができる。実施形態では具体的には、本体部１と略円盤状の部材２は、シリコーン、ラバーを含む樹脂材料から選択される柔軟な樹脂材料で形成される。本体部１と略円盤状の部材２は、同じ材質でもよくまたこれらの中の材質を組み合わせてもよい。
【００２７】
本体部１と略円盤状の部材２とが同じ材質の場合、略円盤状の部材２は、本体部１と共に一体成型により成形してもよいが、一実施形態では本体部１と略円盤状の部材２とは別々に成形され、略円盤状の部材２は、アメリカ食品医薬品局（ＦＤＡ）認証の接着剤で本体部１に蓋をするように接着される。このように乳幼児が噛みやすい本体部１と略円盤状の部材２との境界部も口に入れても外のない材料で形成することにより乳幼児にも安全な歯がためを提供することが可能である。
【００２８】
図１の実施形態は、水平方向に２分割したスイカの一方の形状を示すように形成したものであるため本体部１の外表面は緑色に彩色され、隣接する第１の形状の貫通孔１２の間を底縁部から頂点に向かう連結部１５は、縦縞を表現する黒または濃緑色に彩色される。
【００２９】
一方略円盤状の部材２は切断面の果肉を表現する赤色に彩色される。また、本体部１の内面もこれに合わせて、果肉を表現する赤色に彩色される。略円盤状の部材２の外表面には、更にスイカの種を表現する黒色の突起部２３が形成される。
【００３０】
突起部２３は、アメリカ食品医薬品局（ＦＤＡ）認証の接着剤で接着してもよいが、実施形態では乳幼児が噛んで引っ張っても外れないように略円盤状の部材２の内部に半分以上が埋め込まれる形で取り付けられる。突起部２３は、略円盤状の部材２より突出する形で取り付けられるため、略円盤状の部材２を下向きにテーブルに置いた場合も乳幼児が噛みやすい略円盤状の部材２の周囲や底面が直接テーブルに接触するのを防止し、衛生的である。
【００３１】
また実施形態では、底縁部から頂点に向かう連結部１５には表面に凹凸部１３が形成される。連結部１５は、乳幼児が噛みやすい太さとなるように第１の形状の貫通孔１２が配置され、乳幼児にとって掴みやすい部分であるとともに噛みやすい部分である。そこで凹凸部１３は、乳幼児が噛んだ際に歯頚部に適切な刺激を与え、歯が生える際の歯頚のかゆみ低減や歯頚のむずむず感の解消に有効に寄与する。また乳幼児がつかんだときに滑り止めの役割も果たすものである。
図１では凹凸部１３は、横縞状に示すが凹凸部１３の形状は、これに限らず縦縞状でもドット状でも構わない。
【００３２】
図２は、本考案の一実施形態によるスイカの歯がための構造を示す図であり、図２（ａ）は、略円盤状の部材２から示す図であり、図２（ｂ）は、Ａ−Ａ線で切った面での断面図である。また、図３は、本考案の一実施形態によるスイカの歯がための外側の凹凸部を半球形状の頭頂部側から示す図である。
【００３３】
図２（ｂ）を参照すると本考案の実施形態による歯がため１００は、本体部１と略円盤状の部材２で囲まれる内部は中空である。また突起部２３が略円盤状の部材２より突出し、本体部１の外周にある連結部１５には凹凸部１３が形成される。
【００３４】
本体部１の中心貫通孔１１は、中心貫通孔１１を下向きにおいた際に安定して置けるように平坦な辺を提供する。
本体部１の複数の第１の形状の貫通孔１２は、一実施形態では略半球形状が上向きに凸となるように配置したときに底縁部から同一の高さにあるように配置される。他の実施形態では、底縁部から同一の高さにあるように配置される第１の形状の貫通孔１２に加えてさらに別の高さに更なる貫通孔を備えてもよい。
又さらに他の実施形態では、隣接する第１の形状の貫通孔１２の高さを変えて交互に配置するようにしてもよい。いずれにしても複数の貫通孔は、隣接する複数の貫通孔の間の部分が乳幼児の噛みやすい幅となるような形状と配置で配置される。
【００３５】
以上第１の実施形態では歯がため１００は、スイカの形状を表す事例を示したが、スイカに限らず、本考案の実施形態による歯がためは、ボール、フルーツ、野菜などを所定の形状で切断した形状を表すように形成される。特にフルーツ、野菜の形状を表す場合、略円盤状の部材は、フルーツ又は野菜の断面形状を示す形状に形成される。
【００３６】
図４は、本考案の他の実施形態によるみかんの歯がための平面を示す図である。
図４を参照すると本考案の他の実施形態による歯がため２００は、みかんを水平方向に切断して２分割した一方の形状を表しており、中空で略半球形状の本体部１の外表面は、ミカンの皮をイメージするオレンジ色で彩色され、本体部の半球形状の開口部にふたをするように設けられた略円盤状の部材２は、ミカンの果肉をイメージするオレンジ色で彩色される。また略円盤状の部材２の複数個の第２の形状の貫通孔３２は、みかんのふさを表現するように水滴型に開けられる。
【００３７】
以上、スイカとみかんを例として本考案の実施形態の歯がためを説明したが、本考案の実施形態の歯がためは、他のフルーツや野菜についても適用可能であり、その場合、それぞれの形状をイメージしやすい所定の面で切断した形状を示す形で形成される。即ちスイカやみかんでは、水平断面の切断を示すような実施形態を示したので複数個の第２の形状の貫通孔（２２、３２）は、円盤形状の中心部に対し点対称となるように配置する例を示したが、トマトやカボチャなどでは縦に２分割した方が特徴を表現しやすい。そこで実施形態の歯がためでは、縦断面を示すような形状に形成される。この場合略円盤状の部材２の複数個の第２の形状の貫通孔２２は、略円盤状の部材の線対象軸に対し線対称に配置される。
【００３８】
このように本考案の実施形態の歯がためは、食物をイメージさせる歯がためを実現できるため、乳幼児に食に対する感性を誘起するのに効果的である。
また、本考案の実施形態の歯がためは、こうした食物の他にボールの２分割の一方を示すような形状でも実現できる。いずれにしても、本体部１と略円盤状の部材２とで囲まれる空間は中空であるため、この本体の中空部に鈴などの音のするものやボールなどを挿入して、ラトルとしても使用可能である。
【００３９】
また本考案の実施形態の歯がためは、いずれも略円盤状の部材２を上に向けても下に向けても安定して置くことができ、またどの面にも複数の貫通孔が形成されているため、貫通孔にスプーンやフォークなどのカトラリを立てたりペンなどの筆記具を立てたりすることにも転用が可能である。
【００４０】
以上、本考案の実施形態について図面を参照しながら説明したが、本考案は、上述の実施形態に限定されるものではなく、本考案の技術的範囲から逸脱しない範囲内で多様に変更することが可能である。
【符号の説明】
【００４１】
１      本体部
２      略円盤状の部材
１１    中心貫通孔
１２    第１の貫通孔
１３    凹凸部
１５    連結部
２１    中心部貫通孔
２２、３２    第２の貫通孔
２３    突起部
１００、２００  歯がため
【図１】
0003224878.tif 000003
【図２】
0003224878.tif 000004
【図３】
0003224878.tif 000005
【図４】
0003224878.tif 000006